(57)【要約】【課題】扉用振れ止め装置において、開き戸や折戸など扉の振れ止めを組み立てや加工に手間のかからないように簡略な構成により廉価に実現する。【解決手段】閉時、折戸１１が閉位置に至り、第１振れ止め体Ａの固定吸着材の磁石２０が第２振れ止め体Ｂの可動吸着材の磁石３０と向かい合うと、その間に作用する磁気的吸引力により第２振れ止め体Ｂの磁石３０が下降し、その磁石３０を第１振れ止め体Ａの磁石２０に吸着して折戸１１の戸先側パネル１５の戸先側を引き寄せ、その戸先側パネルの振れを止めて折戸１１を閉位置に位置決め保持する構成になっている。【選択図】          図１
2011247025.tif 000002
【特許請求の範囲】
【請求項１】
床面上で扉枠に囲まれた出入口を開閉する扉の戸先側上部と扉枠の上枠間又は扉の戸先側下部と床面間に組み付け、出入口を閉じる閉位置で戸先側が揺れる扉を引き寄せて閉位置に位置決め保持する扉用振れ止め装置で、
扉又は床面もしくは扉枠の一方の側に固定吸着材を固設する第１振れ止め体と、その一方の側に前記固定吸着材を固定すると、扉が閉位置にあるときに該固定吸着材と向かい合う他方の側に可動吸着材を扉の高さ方向に昇降自在に保持する第２振れ止め体とからなり、
前記固定吸着材と前記可動吸着材の一方を磁石、他方を磁性体で形成し又は双方とも磁石で形成し、閉時に扉が閉位置に近づいたとき前記固定吸着材と前記可動吸着材間に作用する磁気的吸引力で前記第２振れ止め体の前記可動吸着材を動かして前記第１振れ止め体に吸着してなることを特徴とする、扉用振れ止め装置。
【請求項２】
前記第１振れ止め体は、前記固定吸着材の周縁に弾性をもった位置決め凸部を突設する一方、前記第２振れ止め体は、弾性を有した消音材を備え、該消音材に前記位置決め凸部と嵌め合い可能な位置決め凹部を設け、閉時は、前記可動吸着材を、前記消音材を介して前記第１振り止め体に当て、前記位置決め凹部に前記位置決め凸部を嵌合して前記可動吸着材と前記固定吸着材との吸着位置を保持してなることを特徴とする、請求項１に記載の扉用振れ止め装置。
【発明の詳細な説明】
【技術分野】
【０００１】
本発明は、出入口を閉じた後も閉位置を越えて出入口の内外方向に揺動する開き戸や折戸、また、閉時に下部戸先側が横振れしやすい上吊り式の引戸など、戸先側が揺動する扉を止めて閉位置に位置決め保持する扉用振れ止め装置に関する。
【背景技術】
【０００２】
扉の中でも、閉じるときに戸先側端部を戸当りに当てて止めない開き戸や、床側と天井側上枠に案内用のレールを有しない折戸などは、出入口を閉じるときに戸先側が閉位置を越えて、出入口の内外方向に揺動して閉位置に位置決め保持されず、半開きのままふらついたりして不安定であるという問題があった。
【０００３】
そこで、従来、そのように閉時に戸当りに当てて止めない開き戸等の扉に対しては、扉の下部戸先側と床面間に振れ止め装置を設置して扉のふらつきを防止するものがある（特許文献１参照）。この従来の抜け止め装置は、例えば開き戸の下部戸先側に磁石を付設した可動片を回動自在に軸支して開き戸から突出可能に備える一方、開き戸が閉位置にあるときに可動片と対向する床面部位に、磁性体を配設した凹部を設け、開き戸が閉位置に到達すると、磁石と磁性体間の磁気吸着力で可動片を回動して突出し、それを床側の凹部内に嵌入させて扉の振れを止める構造になっている。
【先行技術文献】
【特許文献】
【０００４】
【特許文献１】特開２０００−１６０９１１号公報
【発明の概要】
【発明が解決しようとする課題】
【０００５】
しかし、従来の振れ止め装置は、扉側の可動片を磁気吸着力で回動し、これを床側の小さな凹部内に嵌入させて初めて扉の振れが止められるので、閉時、扉側の回動する可動片が常に正確に床側の凹部に嵌入するように、扉側には、下部戸先側に切欠きを設け、切欠き内にケースを埋設し、該ケースに可動片を軸支して内装すると共に、可動片が床側の凹部に嵌入する斜め下向きの傾き角度を規制するストッパを設ける一方、斜め下向き姿勢をとる可動片の先端が係止する係止面を備えた形状に磁性体を曲げ成形し、これを床側の凹部に嵌め込んで固定する比較的複雑な構造となすため、それだけ組立や加工に手間がかり面倒であるという課題があった。
【課題を解決するための手段】
【０００６】
そこで、上述した課題を解決すべく、請求項１に記載の発明は、たとえば以下に示す図示実施の形態のとおり、床面Ｆ上で扉枠１０に囲まれた出入口Ｓを開閉する折戸１１等の扉の戸先側上部と扉枠１０の上枠１０ａ間又は扉の戸先側下部と床面Ｆ間に組み付け、出入口Ｓを閉じる閉位置で戸先側が揺れる扉を引き寄せて閉位置に位置決め保持する扉用振れ止め装置Ｒで、扉又は床面Ｆもしくは扉枠の一方の側に固定吸着材、例えば磁石２０を固設する第１振れ止め体Ａと、その一方の側に前記固定吸着材を固定すると、扉が閉位置にあるときに該固定吸着材と向かい合う他方の側に可動吸着材、例えば磁石３０を扉の高さ方向に昇降自在に保持する第２振れ止め体Ｂとからなり、前記固定吸着材と前記可動吸着材の一方を磁石、他方を磁性体で形成し又は双方とも磁石で形成し、閉時に扉が閉位置に近づいたとき前記固定吸着材と前記可動吸着材間に作用する磁気的吸引力で前記第２振れ止め体Ｂの前記可動吸着材を動かして前記第１振れ止め体Ａに吸着してなることを特徴とする。
【０００７】
請求項２に記載の発明は、請求項１に記載の発明の扉用振れ止め装置Ｒにおいて、たとえば以下に示す図示実施の形態のとおり、前記第１振れ止め体Ａは、前記固定吸着材の周縁に弾性をもった位置決め凸部１９ａを突設する一方、前記第２振れ止め体Ｂは、弾性を有した消音材２７を備え、該消音材２７に前記位置決め凸部１９ａと嵌め合い可能な位置決め凹部３２ａを設け、閉時は、前記可動吸着材を、前記消音材２７を介して前記第１振り止め体Ａに当て、前記位置決め凹部３２ａに前記位置決め凸部１９ａを嵌合して前記可動吸着材と前記固定吸着材との吸着位置を保持してなることを特徴とする。
【発明の効果】
【０００８】
請求項１に記載の発明によれば、扉が閉位置に至り、第１振れ止め体の固定吸着材と第２振れ止め体の可動吸着材とが向かい合うと、その間に作用する磁気的吸引力により第２振れ止め体の可動吸着材が上昇又は下降し、その可動吸着材を第１振れ止め体の固定吸着材に吸着して扉の戸先側を引き寄せ、その扉の振れを止めて扉を閉位置に位置決め保持することができる。
【０００９】
しかも、請求項１に記載の発明によれば、そのように第１振れ止め体の固定吸着材と第２振れ止め体の可動吸着材とが向かい合うと、その間に作用する磁気的吸引力で第２振れ止め体の可動吸着材を動かして固定吸着材に吸着する比較的簡略な構造により、扉の振れを止めて閉位置に位置決め保持することを実現し、従って、それだけ振れ止め装置の組み立てや加工が容易になりコストも低く抑えることができる。
【００１０】
請求項２に記載の発明によれば、閉時、可動吸着材を第１振れ止め体の固定吸着材に吸着して扉の振れを止めるときには、第２振れ止め体は、弾性をもった消音材が、位置決め凹部において、同じく第１振れ止め体側の弾性を有する位置決め凸部に当たるため、消音材に有した弾性により衝撃を緩衝して衝突音の発生を抑えることができると共に、位置決め凹部と位置決め凸部の嵌め合いで可動吸着材と固定吸着材の吸着位置のズレを抑えて扉を閉位置に正確に位置決め保持することができる。
【図面の簡単な説明】
【００１１】
【図１】本発明の一例である扉用振れ止め装置を示す側面図である。
【図２】（Ａ）は扉用振れ止め装置を折戸の戸先側パネルの上部と扉枠の上枠間に組み付けた折戸構造体を折戸の半開き状態で示す斜視図、（Ｂ）はその部分拡大斜視図である。
【図３】（Ａ）は折戸構造体を折戸の閉状態で示す斜視図、（Ｂ）はその部分拡大斜視図である。
【図４】第１振れ止め体を示す分解斜視図である。
【図５】第１振れ止め体を示す組立斜視図である。
【図６】第２振れ止め体を示す分解斜視図である。
【図７】第２振れ止め体を示す組立斜視図である。
【図８】（A-1）は折戸が閉位置に近づいたときの扉用振れ止め装置の作動状態を示す正面図、（A-2）はその側面図、（B-1）は折戸が閉位置にあるときの扉用振れ止め装置の作動状態を示す正面図、（B-2）はその側面図である。
【図９】本発明の他例である扉用振れ止め装置に備えた第１振れ止め体の分解斜視図である。
【図１０】他例の第１振れ止め体を示す組立斜視図である。
【図１１】他例の第２振れ止め体を示す分解斜視図である。
【図１２】他例の第２振れ止め体を示す組立斜視図である。
【図１３】他例の第２振れ止め体を組み付け状態で示す正面図である。
【図１４】（A-1）は折戸が閉位置に近づいたときの他例の扉用振れ止め装置の作動状態を示す正面図、（A-2）はその側面図、（B-1）は折戸が閉位置にあるときの他例の扉用振れ止め装置の作動状態を示す正面図、（B-2）はその側面図である。
【図１５】（Ａ）は本発明の扉用振れ止め装置を開き戸に適用し、その開き戸の戸先側上部と扉枠の上枠間に組み付けた開き戸構造体を開き戸の半開き状態で示す斜視図、（Ｂ）はその部分拡大斜視図である。
【図１６】（Ａ）は開き戸構造体を開き戸の閉状態で示す斜視図、（Ｂ）はその部分拡大斜視図である。
【発明を実施するための形態】
【００１２】
以下、図面を参照しつつ、本発明の実施形態について説明する。
【００１３】
図１は本発明の一例である扉用振れ止め装置を示す側面図、図２は扉用振れ止め装置を折戸の戸先側パネルの上部と扉枠の上枠間に組み付けた折戸構造体を折戸の半開き状態で示す斜視図、図３は折戸構造体を折戸の閉状態で示す斜視図である。図示例の折戸構造体は、床面Ｆ上で扉枠１０に囲まれた出入口Ｓを開閉する扉として、折戸１１を扉枠１０に吊り込んだ扉構造体である。扉枠１０は、天井側の上枠１０ａと、図中左右に向い合う一対の縦枠１０ｂ・１０ｃとで出入口Ｓを囲んで矩形に枠付けしている。折戸１１は、２枚のパネル１５・１６をパネルヒンジ１２を介して折り曲げ自在に連結し、戸尻側パネル１６の戸尻側端部を片側の縦枠１０ｃにドアヒンジ１４を介して取り付けてなる。従って、図示例の折戸１１は、ドアヒンジ１４の枢軸を支点として全体を回動可能に扉枠１０に軸釣すると共に、戸先側パネル１５がパネルヒンジ１２の枢軸Ｐを支点として閉位置を越えて出入口Ｓの内外両方向Ｘに回動する扉構造になっている。
【００１４】
こうした折戸構造体において、振れ止め装置Ｒは、折戸１１の戸先側パネル１５の戸先側上部と扉枠１０の上枠１０ａ間に組み付け、折戸１１側に設置する第１振れ止め体Ａと扉枠１０側に設置する第２振れ止め体Ｂとで構成されている。
【００１５】
第１振れ止め体Ａは、図４に示すように、弾性を有した、例えば樹脂材からなる固定板１９と、固定吸着材の磁石２０とからなる。固定板１９は、中心に取付穴１３を穿設すると共に、片側の受け板面１４において、取付穴１３の周縁に環状の位置決め凸部１９ａを設けてなる。取付穴１３は、小さな円盤状をなす磁石２０の外形状に合わせて丸穴で形成するが、その深さ方向片側（受け板面１４側）の開口１３ａの口径を磁石２０より小さく形成してなる。そこで、第１振れ止め体Ａは、磁石２０を取付穴１３に圧入して固定板１９に固着し、図５に示すように、磁石２０の磁着面２０ａが開口１３ａより若干奥側から外部に臨むように組み立てる。そして、位置決め凸部１９ａが上向きの状態で固定板１９を折戸１１の戸先側パネル１５の戸先側上部に止めねじ１８で固定する。
【００１６】
第２振れ止め体Ｂは、図６に示すように、ブラケット２１と、ブラケット２１で支持する磁石ユニット２２とからなる。ブラケット２１は、金属板を直角に折り曲げて取付板部２１ａとガイド板部２１ｂを形成し、ガイド板部２１ｂに嵌合穴２３を設けてなる。磁石ユニット２２は、ガイド軸２４と、圧縮コイルばねの付勢ばね２５と、ばね受けキャップ２６と、カップ状の消音材２７と、磁石保持片２８と、可動吸着材の磁石３０とを備えてなる。
【００１７】
ガイド軸２４は、一端周縁に環状の押え鍔部２４ａを有する一方、他端には、内周面に雌ねじを螺設した一段細径な連結管部２４ｂを軸方向に突設してなる。ばね受けキャップ２６は、ブラケット２１の嵌合穴２３に嵌め込み可能な小円筒形のばね受け部２６ａの周縁に抜け止め鍔部２６ｂを設けたハット形をなし、ばね受け部２６ａの底面にガイド軸２４が挿通可能なガイド穴２９を設けてなる。消音材２７は、硬質で耐久性に富む一方、弾性を併有した、例えばエラストマーからなり、第１振れ止め体Ａの固定板１９に備えた環状の位置決め凸部１９ａに合わせて、一側を大きく開口した丸いカップ状に成形し、他側の底面にガイド軸２４の連結管部２４ｂを嵌合する貫通穴３１を設けてなる。更に、消音材２７は、開口３２の内周縁にテーパを設け、第１振れ止め体Ａの位置決め凸部１９ａが嵌合する位置決め凹部３２ａを形成してなる。磁石保持片２８は、鉄板片等の磁性体からなり、中心に止めねじ３３の挿通するねじ挿通穴３４を設けてなる。磁石３０は、一側を開口した丸い小さなキャップ状をなし、他側の底面に止めねじ３３の挿通するねじ挿通穴３６を設けてなる。
【００１８】
そこで、磁石ユニット２２は、ブラケット２１の嵌合穴２３にばね受け部２６ａを嵌め込んでブラケット２１にばね受けキャップ２６を装着し、ばね受けキャップ２６にばね一端を嵌入した付勢ばね２５を押え鍔部２４ａとばね受け部２６ａ間で挟んでガイド軸２４に巻装し、ガイド軸２４をガイド穴２９に通して連結管部２４ｂを消音材２７の貫通穴３１に貫挿する一方、止めねじ３３を磁石３０と磁石保持片２８のねじ挿通穴３６・３４に順に挿通してガイド軸２４の連結管部２４ｂに螺合する。すると、可動吸着材の磁石３０を、図７に示すように、消音材２７ごと付勢ばね２５の付勢力でガイド板部２１ｂに引き寄せた状態で、磁石ユニット２２がブラケット２１に組み付けられる。また、磁石ユニット２２は、可動吸着材の磁石３０を、消音材２７ごとガイド軸２４とガイド穴２９の嵌め合いを介して軸方向に移動可能にブラケット２１に組み付けられ、以って、第２振れ止め体Ｂが組み立てられてなる。
【００１９】
組み立てた第２振れ止め体Ｂは、図1に示すように、折戸１１が閉位置にあるときに磁石３０が戸先側パネル１５上の第１振れ止め体Ａ側の磁石２０と向かい合う位置において、扉枠１０の上枠１０ａにブラケット２１の取付板部２１ａをねじ止めし、以って、折戸１１の戸先側パネル１５の戸先側上部に固定した第１振れ止め体Ａとで振れ止め装置Ｒを構成する。従って、振れ止め装置Ｒは、出入口Ｓを開けて折戸１１が開位置にある開時は、可動吸着材の磁石３０を、消音材２７ごとガイド板部２１ｂに付勢ばね２５の付勢力で引き寄せた退避高さ位置において、折戸１１の高さ方向上下に昇降自在に保持する一方、閉時、折戸１１が閉位置に近づいて第１振れ止め体Ａの磁石２０が第２振れ止め体Ｂの磁石３０と向かい合うと、磁石２０・３０間に作用する磁気的吸引力により第２振れ止め体Ｂ側の可動な磁石３０が消音材２７ごと付勢ばね２５に抗して下降し、第１振れ止め体Ａ側の固定吸着材の磁石２０に吸着することにより折戸１１を引き寄せて閉位置に位置決め保持する構成になっている。
【００２０】
さて、上述した構成の振れ止め装置Ｒを備えた折戸構造体では、折戸１１で出入口Ｓを開けるときは、例えば不図示のバーハンドルを持ち、戸先側パネル１５を手前に引き寄せるか、奥側へ押し込むか、いずれの場合でも、それによって、図2に示すように、戸先側パネル１５がパネルヒンジ１２の枢軸Ｐを支点として回動すると同時に、パネルヒンジ１２を介して全体に折戸１１がくの字に折れ曲がり、すると、戸尻側パネル１６も片側縦枠１０ｃ側のドアヒンジ１４の枢軸を支点として回動し、その後に折戸１１が折り畳み状態になって出入口Ｓを全開する。
【００２１】
一方、折戸１１で出入口Ｓを閉めるときは、戸先側パネル１５を出入口Ｓの幅方向戸先側へ引き出すと、今度は、戸先側パネル１５がパネルヒンジ１２の枢軸Ｐを支点として反対向きに回動すると同時に、パネルヒンジ１２を介して全体に折戸１１が折り畳み状態から徐々に展開し、それに従い、戸尻側パネル１６もドアヒンジ１４の枢軸を支点として反対向きに回動し、その後、図８（A-1）・（A-2）に示すように、折戸１１が出入口Ｓを閉じる閉位置に近づいたとき振れ止め装置Ｒが作動し、折戸１１を閉位置に止めて位置決め保持する。そのとき、振れ止め装置Ｒは、折戸１１が閉位置に至り、第１振れ止め体Ａの磁石２０が第２振れ止め体Ｂの磁石３０と向かい合うと、磁石２０・３０間に作用する磁気的吸引力により、図８（B-1）・（B-2）に示すように、第２振れ止め体Ｂの可動な磁石３０が消音材２７ごと付勢ばね２５に抗して下降し、その可動吸着材の磁石３０を第１振れ止め体Ａの固定吸着材の磁石２０に吸着して戸先側パネル１５の戸先側を引き寄せ、その戸先側パネル１５の振れを止めて折戸１１を閉位置に位置決め保持する。
【００２２】
このとき、振れ止め装置Ｒにおいて、第２振れ止め体Ｂは、磁石ユニット２２の消音材２７が、その開口３２の内周縁にある位置決め凹部３２ａにおいて、第１振れ止め体Ａの位置決め凸部１９ａに当たるため、消音材２６に有する弾性により衝撃を緩衝して衝突音の発生を抑えると共に、位置決め凹部３２ａと位置決め凸部１９ａの嵌め合いで磁石２０・３０の吸着位置のズレを抑えて折戸１１を閉位置に正確に位置決め保持することができる。
【００２３】
従って、いま閉位置にある折戸１１を開くときは、戸先側パネル１５を手前に引き寄せるか、奥側へ押し込むと、折戸１１側の第１振れ止め体Ａの磁石２０が扉枠側の第２振れ止め体Ｂの磁石３０との吸着位置からずれ動いて磁石２０・３０間に磁気的吸引力が働かなくなる一方、付勢ばね２６の付勢力により磁石３０が消音材２７ごと上昇し、元の退避高さ位置に戻って戸先側パネル１５を回動できるようになる。
【００２４】
ところで、上述した第１の図示実施の形態では、折戸１１側に固定吸着材の磁石２０を備えた第１振れ止め体Ａを設置する一方、扉枠１０側に可動吸着材の磁石３０を備えた第２振れ止め体Ｂを設置したが、本発明の扉用振れ止め装置は、反対に、例えば以下に示すように、扉枠１０側に第１振れ止め体Ａを設置し、折戸１１側に第２振れ止め体Ｂを設置する構成にすることもできる。以下の第２の実施形態では、上記第１の実施形態と同じ構成部分は同一の符号を付して説明する。
【００２５】
第２の実施形態において、第１振れ止め体Ａは、図９に示すように、ブラケット２１と、取付板３９と、固定吸着材の磁石２０とからなる。取付板３９は、樹脂製で、肉厚な円盤状をなし、中心に取付穴４１を穿設している。そこで、第１振れ止め体Ａは、取付穴４１に磁石２０を圧入して取付板３９に固着し、磁石２０の磁着面２０ａが開口部１６より若干奥側から外部に臨むように組み立てる。
【００２６】
一方、第２振れ止め体Ｂは、図１１に示すように、磁石ユニット２２を支持するブラケット３５を、やや細長矩形な金属板の両端をＬ状に折り曲げて取付板部３５ａを成形し、取付板部３５ａとの間にコ形のガイド板部３５ｂを形成し、ガイド板部３５ｂの中心に嵌合穴２３を設けてなる。
【００２７】
そこで、磁石ユニット２２は、ブラケット３５の嵌合穴２３にばね受け部２６ａを嵌め込んでブラケット２１にばね受けキャップ２６を装着し、ばね受けキャップ２６にばね一端を嵌入した付勢ばね２５を押え鍔部２４ａとばね受け部２６ａ間で挟んでガイド軸２４に巻装し、ガイド軸２４をガイド穴２９に通して連結管部２４ａを消音材２７の貫通穴３１に貫挿する一方、止めねじ３３を、磁石３０・磁石保持片２８のねじ挿通穴３６・３４に順に挿通してガイド軸２４の連結管部２４ｂに螺合する。すると、可動吸着材の磁石３０を、図１２に示すように、消音材２７ごと付勢ばね２５の付勢力でガイド板部２１ｂに引き寄せた状態で、磁石ユニット２２がブラケット３５に組み付けられる。また、磁石ユニット２２は、可動吸着材の磁石３０を、消音材２７ごとガイド軸２４とガイド穴２９の嵌め合いを介して軸方向に移動可能にブラケット２１に組み付けられ、以って、第２振れ止め体Ｂを組み立ててなる。
【００２８】
組み立てた第２振れ止め体Ｂは、消音材１９の位置決め凸部１９ａを上向きにして、図１３に示すように、折戸１１の戸先側パネル１５の上端面１５ａにおいて戸先側に設けた凹部１５ｂにブラケット３５のガイド板部３５ｂを嵌め込み、磁石ユニット２２を凹部１５ｂ内に収容した状態で取付板部３５ａを上端面１５ａに止めねじで固定する。一方、第１振れ止め体Ａは、折戸１１が閉位置にあるとき磁石２０が戸先側パネル１５上の第２振れ止め体Ｂの磁石３０と向かい合う位置において、図１０に示すように、扉枠１０の上枠１０ａにブラケット２１の取付板部２１ａをねじ止めし、以って、折戸１１側の第２振れ止め体Ｂとで振れ止め装置Ｒを構成する。従って、他例の振れ止め装置Ｒは、出入口Ｓを開けて折戸１１が開位置にあるときは、可動吸着材の磁石３０を、消音材２６ごと付勢ばね２５の付勢力でガイド板部３５ｂに引き寄せた退避高さ位置において、折戸１１の高さ方向に昇降自在に保持する一方、閉時、折戸１１が閉位置に近づいて第２振れ止め体Ｂの磁石３０が第１振れ止め体Ａの磁石２０と向かい合うと、磁石２０・３０間に作用する磁気的吸引力により第２振れ止め体Ｂの可動な磁石３０が消音材２７ごと付勢ばね２５に抗して上昇し、第１振れ止め体Ａ側の固定吸着材の磁石２０に吸着することにより折戸１１を引き寄せて閉位置に位置決め保持する構成になっている。
【００２９】
従って、第２の実施形態において、折戸１１で出入口Ｓを閉めるときは、図１４（A-1）・（A-2）に示すように、折戸１１が出入口Ｓを閉じる閉位置に至り、第２振れ止め体Ｂの磁石３０が第１振れ止め体Ａの磁石２０と向かい合うと、磁石２０・３０間に作用する磁気的吸引力により、図１４（B-1）・（B-2）に示すように、第２振れ止め体Ｂの可動な磁石３０が消音材２７ごと付勢ばね２５に抗して上昇し、その可動吸着材の磁石３０を第１振れ止め体Ａの固定吸着材の磁石２０に吸着して戸先側パネル１５の戸先側を引き寄せ、その戸先側パネル１５の振れを止めて折戸１１を閉位置に位置決め保持する。
【００３０】
ところで、上述した図示実施の形態では、振れ止め装置Ｒを、出入口Ｓを閉じた後も閉位置を越えて揺動する折戸に適用し、その種の折戸の振れ止め装置として実施する場合について説明したが、本発明では、その種の折戸に限らず、例えば以下に示すように、同様に出入口を閉じた後も閉位置を越えて揺動する開き戸に適用し、その種開き戸の振れ止め装置として実施することもできる。
【００３１】
この第３の実施形態において、振れ止め装置Ｒは、例えば図１５および図１６に示すように、上述した第１の実施形態と同様、開き戸４０の戸先側上部に固定吸着材の磁石２０を備えた第１振れ止め体Ａを設置する一方、可動吸着材の磁石３０を備えた第２振れ止め体Ｂは開き戸４０が閉位置にあるとき磁石３０が第１振れ止め体Ａの磁石２０と向かい合う位置で扉枠１０の上枠１０ａに設置する。
【００３２】
従って、第３の実施形態において、折戸１１で出入口Ｓを閉めるときは、開き戸４０が出入口Ｓを閉じる閉位置に近づいて第１振れ止め体Ａの磁石２０が第２振れ止め体Ｂの磁石３０と向かい合うと、磁石２０・３０間に作用する磁気的吸引力により第２振れ止め体Ｂの可動吸着材の磁石３０を消音材２７ごと付勢ばね２５に抗して下降し、その可動吸着材の磁石３０を第１振れ止め体Ａの固定吸着材の磁石２０に吸着して開き戸４０の戸先側を引き寄せ、開き戸４０の振れを止めて開き戸４０を閉位置に位置決め保持する。
【００３３】
また、本発明では、出入口を閉じた後も閉位置を越えて揺動する折戸１１や開き戸４０に限らず、閉時に戸先側下部が揺れやすい上吊り式の引戸に適用し、その種の上吊り式引戸の振れ止め装置として実施することもできる。
【００３４】
この第４の実施形態において、上吊り式引戸に本発明の振れ止め装置Ｒを適用する場合は、例えば引戸の戸先側下部に固定吸着材の磁石２０を備えた第１振れ止め体Ａを設置する一方、可動吸着材の磁石３０を備えた第２振れ止め体Ｂは引戸が閉位置にあるとき磁石３０が第１振れ止め体Ａの磁石２０と向かい合う位置で床面に設置する。
【００３５】
従って、第４の実施形態において、引戸で出入口を閉めるときは、引戸が出入口を閉じる閉位置に近づいて、第１振れ止め体Ａの磁石２０が第２振れ止め体Ｂの磁石３０と向かい合うと、磁石２０・３０間に作用する磁気的吸引力により第２振れ止め体Ｂの可動な磁石３０を消音材２７ごと付勢ばね２５に抗して下降し、その可動吸着材の磁石３０を第１振れ止め体Ａの固定吸着材の磁石２０に吸着して引戸の戸先側下部を引き寄せ、引戸の横振れを止めて引戸を閉位置に位置決め保持する。
【００３６】
更に、本発明の振れ止め装置は、扉の戸先側上部と扉枠の上枠間に設置する場合に限らず、前記上吊り式引戸に適用した場合のように扉の戸先側下部と床面間に設置して扉を振れ止めする構成にすることもできる。その場合も、振れ止め装置は、扉側に固定吸着材の磁石を備えた第１振れ止め体を設置し、床面側に可動吸着材の磁石を備えた第２振れ止め体を設置してもよく、反対に、床面側に第１振れ止め体を設置し、扉側に第２振れ止め体を設置する構成にすることもできる。
【００３７】
なお、以上の図示実施の形態において、振れ止め装置Ｒは、第１振れ止め体Ａに備える固定吸着材と第２振れ止め体Ｂに備える可動吸着材の双方とも磁石２０・３０で形成したが、本発明は、それに限らず、いずれか一方を磁石、他方を鉄片等の磁性体で形成することもできる。
【符号の説明】
【００３８】
Ａ                第１振れ止め体
Ｂ                第２振れ止め体
Ｆ                床面
Ｒ                振れ止め装置
Ｓ                出入口
１０              扉枠
１０ａ            上枠
１０ｂ・１０ｃ    縦枠
１１              折戸
１９ａ            位置決め凸部
２０              磁石（固定吸着材）
２５              付勢ばね
２７              消音材
３０              磁石（可動吸着材）
３２ａ            位置決め凹部
４０              開き戸
【図１】
2011247025.tif 000003
【図２】
2011247025.tif 000004
【図３】
2011247025.tif 000005
【図４】
2011247025.tif 000006
【図５】
2011247025.tif 000007
【図６】
2011247025.tif 000008
【図７】
2011247025.tif 000009
【図８】
2011247025.tif 000010
【図９】
2011247025.tif 000011
【図１０】
2011247025.tif 000012
【図１１】
2011247025.tif 000013
【図１２】
2011247025.tif 000014
【図１３】
2011247025.tif 000015
【図１４】
2011247025.tif 000016
【図１５】
2011247025.tif 000017
【図１６】
2011247025.tif 000018